(57)【要約】【課題】要介助者が載せられた担架をストレッチャーから入浴装置に移行させる際に、介助者の作業を容易にして介助者の負担を軽減させるとともに、より安全な入浴装置を提供することで要介助者に不安感を軽減させる。【解決手段】浴槽１９と、浴槽１９に隣接されたストレッチャー等の上に配置されて略水平方向に移動可能な担架３を浴槽１９の側部上方に位置する乗換位置Ｐｂから浴槽１９の略中央上方に位置する入浴位置Ｐａへ導くガイドレール２２と、ガイドレール２２を介して担架３を浴槽１９上方に支持する支持台２１と、支持台２１の上方に配置されてガイドレール２２の設置方向と平行に移動するスライド部材２６を備え担架３をスライド部材２６に係合させて乗換位置Ｐｂと入浴位置Ｐａとの間で強制的に移動させるオートスライド機構とを備える入浴装置において、オートスライド機構には担架３の移動を規制するストッパー機構が備えられる。【選択図】      図１１
2004187782.tif 000002
【特許請求の範囲】
【請求項１】
浴槽と、
該浴槽に隣接されたストレッチャーまたは洗浄台上に配置されて略水平方向に移動可能な担架を、前記浴槽の側部上方に位置する乗換位置から前記浴槽の略中央上方に位置する入浴位置へ導くガイドレールと、
該ガイドレールが取り付けられるとともに該ガイドレールを介して前記担架を前記浴槽上方に支持する支持台と、
該支持台の上方に配置されて前記ガイドレールの設置方向と平行に移動するスライド部材を備え、前記担架を前記スライド部材に係合させて前記乗換位置と前記入浴位置との間で強制的に移動させるオートスライド機構とを備える入浴装置において、
前記オートスライド機構には、前記担架の移動を規制するストッパー機構が備えられていることを特徴とする入浴装置。
【請求項２】
請求項１に記載の入浴装置において、
前記ストッパー機構は、前記担架に設けられた被係止部と、前記スライド部材の両端部に設けられ前記被係止部に当接する係止部とから構成されていることを特徴とする入浴装置。
【請求項３】
請求項２に記載の入浴装置において、
前記係止部は、前記支持台の上方に位置するときは前記被係止部に当接されて係止状態になり、前記支持台の外方に位置するときは前記被係止部に干渉せず非係止状態になることを特徴とする入浴装置。
【請求項４】
請求項３に記載の入浴装置において、
前記係止部は、前記スライド部材に鉛直方向に回転自在に設けられるとともに前記支持台の上面に対向する係合面を有する回転部材と、該回転部材に取り付けられて前記被係止部に当接する当接部材とから構成されていることを特徴とする入浴装置。
【発明の詳細な説明】
【０００１】
【発明の属する技術分野】
本発明は、病人や寝たきりの老人あるいは手術後の患者等の要介助者を入浴させるための入浴装置に関する。
【０００２】
【従来の技術】
一般に上記のような要介助者を入浴させるための入浴装置として、ストレッチャー上の担架に要介助者を載せ、ストレッチャーを浴槽に横付けし、要介助者が載せられた担架をストレッチャー上から浴槽の上方に移動させ、浴槽或いは担架のうち何れか一方を上下させ、要介助者を入浴させる形式のものがある。
【０００３】
近年、ストレッチャー上から浴槽の上方に移動させる作業を容易にするために、上記した入浴装置に、担架を浴槽側部の乗換位置から浴槽中央の入浴位置へ強制的に移動させるオートスライド機構が備えられている形式のものが提供されている。これは、浴槽側部の乗換位置に配置された担架を、同じく浴槽側部の乗換位置に配置された移動手段と一体にし、この移動手段を担架の移動方向に移動させることで担架を乗換位置から入浴位置に移動させるものである。  （例えば、特許文献１参照。）。
【０００４】
【特許文献１】
特開平１１−２０６８４１号公報  （第３−５頁、第１図）
【０００５】
【発明が解決しようとする課題】
しかしながら、上記した従来の入浴装置によると、介助者は担架をストレッチャーから浴槽の乗換位置に押し出し、予め乗換位置に配置した移動手段に担架を固定しなければならない。このとき、介助者は、ストレッチャーを挟んで担架を固定しなければならないため、前屈みになり作業し難い体勢になる。さらに、介助者は担架が移動手段に固定されないまま移動するのを防止するため、片手で担架を押さえつつ担架を固定しなければならない。このため、担架をストレッチャーから浴槽の乗換位置に押し出して移動手段に固定する作業は、介助者にとっては難しい作業であるとともに、要介助者に不安感を与えるという問題が存在する。
【０００６】
本発明は、上記した問題が考慮されたものであり、要介助者が載せられた担架をストレッチャーから入浴装置に移行させる際に、介助者の作業を容易にして介助者の負担を軽減するとともに、より安全な入浴装置を提供することで要介助者に不安感を軽減させることを目的としている。
【０００７】
【課題を解決するための手段】
請求項１記載の発明は、浴槽と、該浴槽に隣接されたストレッチャーまたは洗浄台上に配置されて略水平方向に移動可能な担架を、前記浴槽の側部上方に位置する乗換位置から前記浴槽の略中央上方に位置する入浴位置へ導くガイドレールと、該ガイドレールが取り付けられるとともに該ガイドレールを介して前記担架を前記浴槽上方に支持する支持台と、該支持台の上方に配置されて前記ガイドレールの設置方向と平行に移動するスライド部材を備え、前記担架を前記スライド部材に係合させて前記乗換位置と前記入浴位置との間で強制的に移動させるオートスライド機構とを備える入浴装置において、前記オートスライド機構には、前記担架の移動を規制するストッパー機構が備えられていることを特徴としている。
【０００８】
このような特徴により、要介助者が載せられた担架はストッパー機構によって押さえられ、介助者が担架を押さえなくても担架が自由に移動することはない。
【０００９】
請求項２記載の発明は、請求項１に記載の入浴装置において、前記ストッパー機構は、前記担架に設けられた被係止部と、前記スライド部材の両端部に設けられ前記被係止部に当接する係止部とから構成されていることを特徴としている。
【００１０】
このような特徴により、要介助者が載せられた担架はスライド部材の範囲内で移動が規制され、担架が入浴位置に配置されたときに両端部に設けられた係止部がそれぞれ被係止部に当接する。
【００１１】
請求項３記載の発明は、請求項２に記載の入浴装置において、前記係止部は、前記支持台の上方に位置するときは前記被係止部に当接されて係止状態になり、前記支持台の外方に位置するときは前記被係止部に干渉せず非係止状態になることを特徴としている。
【００１２】
このような特徴により、スライド部材が乗換位置にあるときは、浴槽側部に位置する一方の係止部は支持台の外方に位置するため非係止状態になり、他方の係止部は支持台の上方に位置するため係止状態になる。また、スライド部材が入浴位置にあるときは、双方の係止部が支持台の上に位置するため係止状態になる。
【００１３】
請求項４記載の発明は、請求項３に記載の入浴装置において、前記係止部は、前記スライド部材に鉛直方向に回転自在に設けられるとともに前記支持台の上面に対向する係合面を有する回転部材と、該回転部材に取り付けられて前記被係止部に当接する当接部材とから構成されていることを特徴としている。
【００１４】
このような特徴により、係止部が支持台の上方にあるときは、回転部材の係合面は支持台の上面を押圧し、回転部材の回転を係止する。回転部材に取り付けられた当接部材は被係止部に当接し、係止部は係止状態になる。また、係止部が支持台の外方にあるときは、回転部材の係合面が支持台の上面から離れ、回転部材は下方に回転する。回転部材に取り付けられた当接部材は被係止部よりも下方に移行し、係止部は非係止状態になる。
【００１５】
【発明の実施の形態】
以下、本発明における入浴装置の実施の形態について図面に基づいて説明する。なお、本実施の形態は、ストレッチャーの上に配置された担架に乗せられた要介助者を入浴させる場合について説明する。
【００１６】
図１において、符号Ｍは病人や寝たきりの老人あるいは手術後の患者等の要介助者であり、符号Ｎは要介助者Ｍの入浴を介助する介助者である。符号１は要介助者Ｍを載せて、例えば病室から浴室あるいは逆に浴室から病室へ移送するためのストレッチャーである。ストレッチャー１は、下面に図示せぬキャスターを備える移動可能なストレッチャー本体２と、このストレッチャー本体２の上に配置されて実際に要介助者Ｍが載せられる担架３とから構成されている。なお、図１は、ストレッチャー１により移送された要介助者Ｍを入浴させる入浴装置４に担架３が移動した状態を示している。
【００１７】
ストレッチャー本体２の上面には、ストレッチャー本体２の長辺方向に二本平行に延在する角形棒材５ａと、二本の角形棒材５ａの間に設けられ角形棒材５ａに直交する方向に二本平行に延在する角形棒材５ｂとからなるレール台５が設けられている。角形棒材５ｂはストレッチャー本体２の中央部付近に設けられ、二本の角形棒材５ｂの上面には互いに対向する二つのストレッチャー側ロック部６がそれぞれ立設されている。
【００１８】
図２に示すように、ストレッチャー側ロック部６は、角形棒材５ｂの上面に水平に固着された矩形のプレート６ａと、このプレート６ａに鉛直に立設された逆三角形状のプレート６ｂと、このプレート６ｂの上部に設けられ対向する他方のストレッチャー側ロック部６の方向に水平に張り出された矩形のプレート６ｃと、このプレート６ｃの先端に設けられ鉛直下方に垂設された逆三角形状のプレート６ｄとから構成されている。プレート６ｄの中央部には、下端角部から上方にかけてスリット６ｅが設けられている。なお、ストレッチャー側ロック部６の構成は図１１を（ａ）に示す符号２７と同等の構成からなるものである。
【００１９】
また、図１、図２に示すように、二本の角形棒材５ａの間にはストレッチャー本体２の短辺方向に延在するレール部材７が二本平行に架設されている。レール部材７はストレッチャー本体２の一方の側端から他方の側端にかけて真直ぐに伸びている。
【００２０】
図２に示すように、担架３はレール部材７上を移動する走行車輪８を介してレール部材７に載せられている。走行車輪８は、担架３の下面に複数取り付けられており、担架３の移動方向と平行に二列設けられている。二列平行に設けられた走行車輪８の間の担架３下面には、担架３の移動方向に延在する被係止部９が設けられている。被係止部９は、天板部９ａの両長辺縁から互いに対向する側板部９ｂがそれぞれ垂設されてなる断面門型の細長い部材であり、側板部９ｂの両端部はそれぞれ緩やかに傾斜している。被係止部９にはストレッチャー側ロック部６に係止するロック機構１０が設けられている。
【００２１】
図３はロック機構１０を担架３の下方から見た図であり、図４は図２に記したＡ−Ａ間の断面図である。図３、図４に示すように、ロック機構１０は、被係止部９と直交する方向に延在する棒状の軸ロッド部１１と、軸ロッド部１１を上方に付勢する付勢部材１２と、軸ロッド部１１を下方に押し下げる平板梃子部材１３と、平板梃子部材１３を下方に押す押子１４と、押子１４を操作するレバー１５とから構成されている。
【００２２】
軸ロッド部１１の両端部は側板部９ｂの中央部にそれぞれ設けられたスリット９ｃの中に挿通されており、軸ロッド部１１は溝９ｃの中に上下移動可能に配置されている。軸ロッド部１１の中央には、軸ロッド部１１を挟んで二方向に延在する一対の付勢部材１２の一端がそれぞれ取り付けられている。一対の付勢部材１２は斜め上方にそれぞれ伸び、他端は取付部１６を介して天板部９ａに固定されている。軸ロッド部１１の上方には、二又状の平板梃子部材１３の一端が配置されている。平板梃子部材１３の他端は側板部９ｂの内側に回転自在に取り付けられている。平板梃子部材１３の中間部には、押子１４の押圧部１４ａが当接されており、押圧部１４ａには被係止部９の内側から外側に突出する矩形板１４ｂを介して被係止部９の外側に配置され被係止部９と平行に延在するアーム部１４ｃが設けられている。アーム部１４ｃの端部には担架３の長辺方向に延在するロッド部１７を介してレバー１５が設けられている。なお、担架３が図１に示すストレッチャー本体２上の所定の位置にあるときは、軸ロッド部１１の両端は図２に示すストレッチャー側ロック部６のスリット６ｅの中に嵌入される。
【００２３】
一方、図５に示す入浴装置４は、フロアに固定された箱状の架台１８と、この架台に昇降可能に設置された浴槽１９とを備えている。架台１８の底板の中央部には円筒状の支柱２０が立設されており、この支柱２０が浴槽１９の底板に液密に貫通している。浴槽１９は支柱２０に沿って昇降するようになっており、その昇降動作は、図示せぬ昇降機構によりなされる。支柱２０の上端には支持台２１が支持され、この支持台２１の両端部には入浴装置４の短辺方向に水平に延在するガイドレール２２が二本平行に設けられている。ガイドレール２２は、ストレッチャー１が入浴装置４横の所定の位置に配置されたときに、上記したストレッチャー１のレール台５上に二本平行に設けられたレール部材７と同軸になる位置に配置されている。
【００２４】
また、図６、図７に示すように、支持台２１の中央にはガイドレール２２と平行に延在する円筒状の案内ロッド２３が配置され、案内ロッド２３は支持台２１の上面に固定された取付基台２４によって両端部を支持されている。二本の案内ロッド２３には、図示せぬ水平移動機構により案内ロッド２３に沿って移動する滑動部２５がそれぞれ取り付けられており、この滑動部２５を介して断面門型で平面形状が矩形のスライド部材２６が二本の案内ロッド２３の間に配置されている。滑動部２５は、取付基台２４によってその移動範囲は限定され、支持台２１の中央の入浴位置Ｐａから支持台２１の両側部の乗換位置Ｐｂまでの間を移動される。
【００２５】
滑動部２５の上面には、上述したレール台５上のストレッチャー側ロック部６と同一構成の浴槽側ロック部２７が設けられている。つまり、図７に示すように、浴槽側ロック部２７は、滑動部２５の上面に鉛直に立設された逆三角形状のプレート２７ａと、このプレート２７ａの上部に設けられ対向する他方の浴槽側ロック部２７の方向に水平に張り出された矩形のプレート２７ｂと、このプレート２７ｂの先端に設けられ鉛直下方に垂設された逆三角形状のプレート２７ｃとから構成されている。プレート２７ｃの中央部には、下端角部から上方にかけてスリット２７ｄが設けられている。担架３が支持台２１上の所定の位置にあるときは、軸ロッド部１１の両端は浴槽側ロック部２７のスリット２７ｄの中に嵌入される。
【００２６】
図６に示すように、浴槽側ロック部２７により担架３はスライド部材２６に係合され、スライド部材２６は滑動部２５に取り付けられ、滑動部２５は図示せぬ水平移動機構により案内ロッド２３に沿って移動される構成からなるオートスライド機構２８により、担架３は入浴位置Ｐａと乗換位置Ｐｂとの間で強制的に移動される。
【００２７】
図８、図９に示すように、スライド部材２６の両端部の両側面には、略三角形状の平板からなる回転部材２９がピン２９ａを中心に鉛直方向に回転自在にそれぞれ取り付けられている。回転部材２９の略三角形を形成する下辺部には、支持台２１の上面に対向する係合面２９ｂが形成されている。支持台２１の上面は、回転部材２９が支持台２１上に位置するとき係合面２９ｂに押圧されており、回転部材２９の回転は係止される。また、回転部材２９の略三角形を形成する一方の斜辺部には、谷状に欠き込まれた欠込部２９ｃが形成されている。欠込部２９ｃの上方に位置するスライド部材２６の両側面には、円柱形の係止ピン３０が設けられている。
【００２８】
また、対向する二枚の回転部材２９の間には、丸棒状の当接部材３１が架設されており、当接部材３１の両端面は、スライド部材２６の端部の斜め上方に位置される回転部材２９の頂角部にそれぞれ固定されている。図１に示す担架３が入浴装置４上の所定の位置に配置され、且つ回転部材２９が支持台２１上に位置するとき、当接部材３１は図７に示す被係止部材９に当接される。また、図１０に示すように、回転部材２９が支持台２１から離れたとき、回転部材２９は回転して当接部材３１は下方に移動し、図７に示す被係止部材９に干渉されない。なお、回転部材２９が回転したときは、欠込部２９ｃが上方に動き係止ピン３０は欠込部２９ｃに当接され、回転部材２９の回転は係止される。上記した回転部材２９と当接部材３１とにより被係止部材９に係止する係止部３２は構成されている。
【００２９】
なお、上記した案内ロッド２３と滑動部２５とスライド部材２６と図示せぬ水平移動機構とによりオートスライド機構は構成されており、被係止部材９と係止部３２とによりストッパー機構は構成されている。
【００３０】
図５、図６において、符号３３はストレッチャー本体２を入浴装置４横の所定の位置に案内するガイドを示し、符号３４は入浴装置４横の所定の位置に固定するキャッチャーを示し、符号３５は浴槽の中に湯を供給する給湯口を示し、符号３６は給湯水バルブを示し、符号３７は給湯水ミキシングを示し、符号３８は給湯温度計を示し、符号３９は浴槽内温度計を示し、符号４０はハンドシャワーを示し、符号４１はシャワーミキシングを示し、符号４２はリクライニングローラーを示し、符号４３はインターロックを示し、符号４４はオーバーフローを示し、符号４５は塩素殺菌装置を示し、符号４６は気泡発生装置を示し、符号４７は出浴、入浴、停止を操作する入出浴スイッチ群を示し、符号４８はバブラー入切を操作するバブラー入切スイッチ群を示し、符号４９は浴槽水殺菌、浴槽殺菌、殺菌停止を操作する殺菌スイッチ群を示し、符号５０は薬液補充ランプを示し、符号５１は電源ランプを示し、符号５２は殺菌中ランプを示し、符号５３は浴槽１９の水を外部に排出する排水管を示し、符号５４は排水管５３の流入口を塞ぎ排水を停止させる排水栓を示し、符号５５は排水管５３から排出された排水を集水する排水溝を示すものである。
【００３１】
次に、上記した構成からなる入浴装置４を使用して要介助者Ｍを入浴させる方法について説明する。
【００３２】
まず、要介助者Ｍを病院のベッド等から図２に示す担架３上に載せ換えるとともに、軸ロッド部１１をストレッチャー側ロック部６のスリット６ｅの中に嵌入させて担架３をストレッチャー本体２にロックする。そして、要介助者Ｍを載せたストレッチャー１を図１に示す入浴装置４の側方まで移送する。次いで、図６に示す入浴装置４の側面に設けられたガイド３３にストレッチャー本体２の側面に設けられた円盤形の図示せぬガイドリング部を係合させるとともに、ストレッチャー本体２の側面に設けられた図示せぬ固定ロッドをキャッチャー３４に嵌入し、ストレッチャー１を入浴装置４横の所定の位置に配置する。このとき、ストレッチャー本体２上に付設された図２に示すレール部材７と図６に示す入浴装置４の支持台２１上に付設されたガイドレール２２とは同軸上に位置する。
【００３３】
次に、図２に示すように、レバー１５を握り、ストレッチャー本体２と担架３とを固定するロック機構１０を解除する。図３、図４に示すように、レバー１５を握るとロッド部１７は軸回転し、ロッド部１７の軸回転により押子１４はロッド部１７が取り付けられた端部を中心に下方に回転する。下方に回転する押子１４の先端の押圧部１４ａは平板梃子部材１３の中間部を下方に押し、平板梃子部材１３は被係止部９に回転自在に取り付けられた一端を中心に下方に回転する。一端を中心に回転する平板梃子部材１３の他端は軸ロッド部１１を下方に押し下げ、軸ロッド部１１は図２に示すストレッチャー側ロック部６のスリット６ｅの中から外れる。軸ロッド部１１がスリット６ｅの中から外れることでロック機構１０は解除され、ストレッチャー本体２と担架３とは分離する。
【００３４】
また、図６に示すように、スライド部材２６を、滑動部２５とともに図示せぬ水平移動機構により案内ロッド２３に沿って移動させ、ストレッチャー１側の乗換位置Ｐｂに配置する。このとき、滑動部２５に立設された浴槽側ロック部２７は、スライド部材２６に伴ってストレッチャー１側の乗換位置Ｐｂに位置する。
【００３５】
図１１（ａ）に示すように、乗換位置Ｐｂにスライド部材２６が位置するとき、ストレッチャー１側の一方のスライド部材２６は支持台２１から外れ、他方のスライド部材２６は支持台２１上に位置する。ストレッチャー１側の一方のスライド部材２６に回転自在に取り付けられた回転部材２９の欠込部２９ｃはスライド部材２６の側面に設けられた係止ピン３０に当接して回転部材２９の回転動作を規制し、回転部材２９の頂角部に固定されている当接部材３１はスライド部材２６の上面より下方に位置する。他方のスライド部材２６に回転自在に取り付けられた回転部材２９の係合面２９ｂは支持台２１の上面に押圧されて回転部材２９の回転動作を規制し、回転部材２９の頂角部に固定されている当接部材３１はスライド部材２６の斜め上方、且つ被係止部９の側方に位置する。
【００３６】
次に、図１に示すように、介助者Ｎが要介助者Ｍを載せた担架３を入浴装置４の方向に押し出す。介助者Ｎに押し出された担架３は、担架３の下面に設けられた図２に示す走行車輪８によりレール部材７及びガイドレール２２に沿って移動し、ストレッチャー本体２上から入浴装置４上に移る。図１１（ａ）に示すように、入浴装置４上に移動した担架３は介助者Ｎに押されて引き続きガイドレール２２に沿って移動してスライド部材２６上に配置される。このとき、ストレッチャー１側の一方の当接部材３１は、担架３の下面に設けられた被係止部９に干渉しない。
【００３７】
担架３の中央部が浴槽側ロック部２７の位置まで移動すると、図４に示す付勢部材１２によって常時上方に付勢されている軸ロッド部１１は、浴槽側ロック部２７を形成する逆三角形のプレート２７ｃの斜面に当接し、この斜面に案内されてスリット２７ｄの中に嵌入する。軸ロッド部１１をスリット２７ｄの中に嵌入させることで担架３をスライド部材２６に固定する。このとき、図１１（ｂ）に示すように、軸ロッド部１１がスリット２７ｄの中に嵌入せず、担架３が浴槽側ロック部２７の位置を越えて移動する場合は、支持台２１上の他方の当接部材３１が、担架３の下面に設けられた被係止部９に当接して担架３の移動を規制する。
【００３８】
次に、図１２（ａ）に示すように、軸ロッド部１１をスリット２７ｄの中に嵌入して担架３をスライド部材２６に固定したことを確認した後に、スライド部材２６を、担架３とともにオートスライド機構により案内ロッド２３に沿って移動させ、支持台２１の中央部の入浴位置Ｐａに配置する。このとき、スライド部材２６の両端部の両側面に回転自在に取り付けられた回転部材２９は支持台２１上にそれぞれ位置する。回転部材２９の係合面２９ｂは、支持台２１の上面にそれぞれ押圧され回転部材２９の回転動作をそれぞれ規制し、回転部材２９の頂角部に固定されている当接部材３１は、スライド部材２６の斜め上方、且つ被係止部９の側方にそれぞれ位置する。
【００３９】
次に、図５に示すように、入出浴スイッチ群４７を操作して図示せぬ昇降機構を駆動させ、浴槽１９を支柱２０に沿って上昇させる。浴槽１９の上昇により、担架３を浴槽１９の中に位置させて要介助者Ｍを浴槽１９内に配置する。図６に示すように、給湯水バルブ３６を捻り、給湯口３５から浴槽１９の中に湯を供給する。このとき、供給する湯を給湯水ミキシング３７により調節し、供給する湯の温度は給湯温度計３８で確認する。また、浴槽１９内の湯の温度は浴槽内温度計３９で確認する。要介助者Ｍの髪を洗うときなどにはハンドシャワー４０を使用し、ハンドシャワー４０から供給される湯はシャワーミキシング４１で調節する。
【００４０】
要介助者Ｍの入浴が終了した後に、入出浴スイッチ群４７を操作して図示せぬ昇降機構を逆駆動させ、浴槽１９を支柱２０に沿って下降させる。浴槽１９の下降により、担架３を浴槽１９の上方に位置させて要介助者Ｍを浴槽１９上方に配置する。次に、要介助者Ｍを載せた担架３を、スライド部材２６とともに図示せぬ水平移動機構により案内ロッド２３に沿って乗入れ時とは逆の乗換位置Ｐｂに移動させる。ここで、予め乗入れ時とは逆の入浴装置４横の所定位置にストレッチャー本体２を配置しておく。そして、図２に示すレバー１５を握りロック機構１０を解除し、担架３を前記したストレッチャー本体２に移動させる。
【００４１】
また、図１２（ｂ）に示すように、スライド部材２６が、担架３が配置された乗換位置Ｐｂと逆の乗換位置Ｐｂにある場合、スライド部材２６の一端部の両側面に回転自在に取り付けられた回転部材２９は、支持台２１上に位置する。回転部材２９の係合面２９ｂは、支持台２１の上面にそれぞれ押圧され回転部材２９の回転動作を規制し、回転部材２９の頂角部に固定されている当接部材３１は、スライド部材２６の斜め上方、且つ被係止部９の側方に位置する。このとき、当接部材３１は被係止部９に当接し、担架３の移動を規制する。
【００４２】
上記した入浴装置４によれば、要介助者が載せられた担架３は、入浴装置４上ではストッパー機構によって係止されるため、介助者Ｎが担架３を押さえなくても担架３が自由に移動することはない。これによって、介助者の作業を容易にして介助者の負担を軽減することができるとともに、要介助者Ｍに与える不安感は軽減される。
【００４３】
また、図１２（ａ）に示すように、担架３が入浴位置Ｐａに配置されたとき、入浴位置Ｐａに配置された担架３はロック機構１０によってスライド部材２６に固定されるとともに、係止部３２及び被係止部９から構成されるストッパー機構によって移動動作が規制される。これによって、ロック機構１０が何らかの拍子に解除されたとしても担架３は自由に移動することはない。
【００４４】
また、スライド部材２６が乗換位置Ｐｂにあるときは、浴槽１９の側部に位置する一方の係止部３２は支持台２１の外方に位置するため非係止状態になり、他方の係止部３２は支持台２１の上方に位置するため係止状態になる。これによって、担架３をストレッチャー本体２から入浴装置４に移動させる際、または担架３を入浴装置４からストレッチャー本体２に移動させる際に、ストレッチャー本体２が配置された方向と逆方向に担架３が移動することを防止することができる。
【００４５】
また、係止部３２が支持台２１の上方にあるときは、回転部材２９の係合面２９ｂは支持台２１の上面を押圧し、回転部材２９の回転を係止し、回転部材２９に取り付けられた当接部材３１は被係止部９に当接する。また、係止部３２が支持台２１の外方にあるときは、回転部材２９の係合面２９ｂが支持台２１の上面から離れ、回転部材２９は下方に回転し、回転部材２９に取り付けられた当接部材３１は被係止部９よりも下方に移行し、係止部３２は被係止部９に干渉しない。これによって、係止部３２は、スライド部材２６の移動に連動して係止状態と非係止状態との切換えが行われるので、誤操作により担架３の移動規制が解除されることを防止できる。
【００４６】
以上、本発明にかかる入浴装置の実施の形態について説明したが、本発明は上記した実施の形態に限定されるものではなく、その趣旨を逸脱しない限り適宜変更可能である。例えば、本実施の形態では、ストレッチャーの上に配置された担架に載せられた要介助者を入浴させる場合について説明したが、洗浄台に載せられた要介助者を入浴させる場合でもよい。また、本実施の形態では、入浴装置４は浴槽１９が昇降する形式のものであるが、支持台２１を昇降させる形式のものでもよい。さらに、本実施の形態では、回転部材２９は略三角形の形状からなっているが、回転部材２９は略四角形や星形等でもよく、回転部材２９の形状は支持台２１上において回転が係止されるものであればよい。
【００４７】
【発明の効果】
以上、説明した本発明にかかる入浴装置によれば、要介助者が載せられた担架をストレッチャーから入浴装置に移行させる際に、要介助者が載せられた担架の移動はストッパー機構により制限されるため、介助者が担架を押さえる必要はなく、介助者の作業を容易にして介助者の負担を軽減することができるとともに、より安全な入浴装置を提供することで要介助者に与える不安感を軽減させることができる。
【図面の簡単な説明】
【図１】本発明に係る入浴装置の実施の形態を説明する配置図である。
【図２】本発明に係る入浴装置の実施の形態を説明する担架の断面図である。
【図３】本発明に係る入浴装置の実施の形態を説明する部分見上図である。
【図４】本発明に係る入浴装置の実施の形態を説明する図２に記したＡ−Ａ間の断面図である。
【図５】本発明に係る入浴装置の実施の形態を説明する側面図である。
【図６】本発明に係る入浴装置の実施の形態を説明する平面図である。
【図７】本発明に係る入浴装置の実施の形態を説明する図６に記したＢ−Ｂ間の断面図である。
【図８】本発明に係る入浴装置の実施の形態を説明する部分平面図である。
【図９】本発明に係る入浴装置の実施の形態を説明する部分側面図である。
【図１０】本発明に係る入浴装置の実施の形態を説明する部分側面図である。
【図１１】本発明に係る入浴装置の実施の形態を説明する使用状態図である。
【図１２】本発明に係る入浴装置の実施の形態を説明する使用状態図である。
【符号の説明】
１    ストレッチャー
３    担架
４    入浴装置
９    被係止部
２１  支持台
２２  ガイドレール
２６  スライド部材
２９  回転部材
３１  当接部材
３２  係止部
Ｐａ  入浴位置
Ｐｂ  乗換位置
【図１】
2004187782.tif 000003
【図２】
2004187782.tif 000004
【図３】
2004187782.tif 000005
【図４】
2004187782.tif 000006
【図５】
2004187782.tif 000007
【図６】
2004187782.tif 000008
【図７】
2004187782.tif 000009
【図８】
2004187782.tif 000010
【図９】
2004187782.tif 000011
【図１０】
2004187782.tif 000012
【図１１】
2004187782.tif 000013
【図１２】
2004187782.tif 000014